(57)【要約】【課題】  雨天時の作業性を向上させる。【解決手段】  上端が開口するバケット２の開口縁部にフレーム８を立設し、フレーム８に幕体３３を装着し、幕体３３によってバケット２の上部にバケット２内に連通する密閉された作業空間３０を形成する。フレーム８は、バケット２の開口縁部に立設される２本の支柱１３、１３と、両支柱の上端部に水平に設けられる角環状の屋根枠１８とから構成される。幕体３３は、屋根枠１８の上部に設けられる屋根幕３４と、屋根幕３４の周縁部に一体に連結され、下方に垂れ下がって下端部がバケットの上端部外周側に被せられる垂幕３５とから構成される。垂幕３５は、周方向に複数の小垂幕３６に分離、接合可能に構成される。作業の種類に応じて、垂幕３５の一部を開放させることができる。【選択図】        図１
2005343663.tif 000002
【特許請求の範囲】
【請求項１】
上端が開口するバケットの上部にバケット内に連通する密閉された作業空間を形成するバケット用テントであって、
前記バケットの開口縁部に着脱自在に立設されるフレームと、該フレームに支持されるとともに、前記バケットの上部にバケット内に連通する密閉された作業空間を形成する幕体とからなることを特徴とするバケット用テント。
【請求項２】
前請求項１に記載のバケット用テントであって、記幕体は、前記バケットの上方に設置される屋根幕と、該屋根幕の周縁部から下方に垂れ下がり、下端部が前記バケットの上端部外周側に被着される垂幕とからなり、該垂幕は周方向に複数に分離、接合可能に構成されていることを特徴とする。
【請求項３】
請求項２に記載のバケット用テントであって、前記フレームは、前記バケットの開口縁部に立設される上下方向に伸縮自在な２本の支柱と、該支柱の上端部に水平に取り付けられる屋根枠とからなることを特徴とする。
【請求項４】
請求項３に記載のバケット用テントであって、前記屋根枠は、折り畳み自在に構成されていることを特徴とする。
【請求項５】
請求項３又は４に記載のバケット用テントであって、前記屋根幕は、前記垂幕から分離可能、かつ前記屋根枠に沿ってスライド可能に構成されていることを特徴とする。
【請求項６】
バケットの上部に、請求項１から５の何れかに記載のバケット用テントを備えてなることを特徴とするバケット構造体。
【請求項７】
請求項６に記載のバケット構造体であって、バケットの周囲に落下物を受け取る落下物受取手段を備えていることを特徴とする。
【請求項８】
請求項７に記載のバケット構造体であって、前記落下物受取手段は、上部が開口する受取溝を有する受取シートと、該受取シートを支持するフレームとからなることを特徴とする。
【発明の詳細な説明】
【技術分野】
【０００１】
本発明は、高所作業車に設置されるバケット用テント及びバケット構造体に関し、特に、雨天時の作業効率を高めることが可能なバケット用テント及びバケット構造体に関する。
【背景技術】
【０００２】
一般に、光ケーブル、メタルケーブル等の架空線を電柱間に架設したり、補修したりする等の高所作業に使用される高所作業車は、車両に昇降、旋回自在に設置されるアームの先端部に、アームと一体に昇降、旋回自在なバケットが設置されている。
【０００３】
そして、上記のような構成の高所作業車を用い、バケット内に作業者が搭乗し、バケットを架空線に近接する位置に位置決めし、バケット内から各種の精密機器を操作することにより、架空線の架設、補修等の高所作業を行うことができるものである（例えば、特許文献１参照。）
【特許文献１】特開２００１−３１３８０号公報（図２）
【発明の開示】
【発明が解決しようとする課題】
【０００４】
ところで、上記のような構成のバケットにあっては、作業車が高所作業を行うバケットが上端が開口する箱状に形成されているため、雨天時には、作業者がレインウエアを装着するか、或いはビニールシートを被って作業を行わなければならず、作業性が非常に悪いものであった。また、架空線の補修等に使用する各種の精密機器が雨に濡れないように注意する必要があるため、本来の補修等の作業以外の部分にも注意を払わなければならず、作業効率が非常に悪いものであった。
【０００５】
本発明は、上記のような従来の問題に鑑みなされたものであって、雨天時の作業性を向上させることができるとともに、雨天時に本来の補修等の作業以外の部分に注意を払う必要がなく、作業効率を高めることができるバケット用テント及びバケット構造体を提供することを目的とするものである。
【課題を解決するための手段】
【０００６】
本発明は、上記のような課題を解決するために、以下のような手段を採用している。
すなわち、請求項１に係る発明は、上端が開口するバケットの上部にバケット内に連通する密閉された作業空間を形成するバケット用テントであって、前記バケットの開口縁部に着脱自在に立設されるフレームと、該フレームに支持されるとともに、前記バケットの上部にバケット内に連通する密閉された作業空間を形成する幕体とからなることを特徴とする。
本発明によるバケット用テントによれば、バケットの上部に密閉された作業空間を形成され、この作業空間内において作業者が架空線の補修等の作業を行うことになる。
【０００７】
請求項２に係る発明は、前請求項１に記載のバケット用テントであって、記幕体は、前記バケットの上方に設置される屋根幕と、該屋根幕の周縁部から下方に垂れ下がり、下端部が前記バケットの上端部外周側に被着される垂幕とからなり、該垂幕は周方向に複数に分離、接合可能に構成されていることを特徴とする。
本発明によるバケット用テントによれば、垂幕を複数に分離させることにより、分離した垂幕間に架空線を挿通させることができ、この状態で垂幕を元の状態に接合させることにより、架空線を挿通した状態でバケットの上部に密閉された作業空間を形成することができる。
【０００８】
請求項３に係る発明は、請求項２に記載のバケット用テントであって、前記フレームは、前記バケットの開口縁部に立設される上下方向に伸縮自在な２本の支柱と、該支柱の上端部に水平に取り付けられる屋根枠とからなることを特徴とする。
本発明によるバケット用テントによれば、フレームの支柱を伸縮させることにより、不使用時にフレームをコンパクトに収納することができる。
【０００９】
請求項４に係る発明は、請求項３に記載のバケット用テントであって、前記屋根枠は、折り畳み自在に構成されていることを特徴とする。
本発明によるバケット用テントによれば、屋根枠を折り畳むことにより、不使用時に屋根枠をコンパクトに収納することができる。
【００１０】
請求項５に係る発明は、請求項３又は４に記載のバケット用テントであって、前記屋根幕は、前記垂幕から分離可能、かつ前記屋根枠に沿ってスライド可能に構成されていることを特徴とする。
本発明によるバケット用テントによれば、屋根幕を垂幕から分離させて、屋根枠上をスライドさせることにより、スライド量に応じて上部を開放させることができる。
【００１１】
請求項６に係る発明は、バケットの上部に、請求項１から５の何れかに記載のバケット用テントを備えてなることを特徴とするバケット構造体。
本発明によるバケット構造体によれば、バケットの上部に密閉された作業空間を形成することができるので、その作業空間を利用して作業者が架空線の補修等の作業を行うことができる。
【００１２】
請求項７に係る発明は、請求項６に記載のバケット構造体であって、バケットの周囲に落下物を受け取る落下物受取手段を備えていることを特徴とする。
本発明によるバケット構造体によれば、作業者が架空線の補修の作業中に切屑等を誤って落下させても、その落下物は落下物受取手段によって受け取られることになり、下方に落下するのを防止できる。
【００１３】
請求項８に係る発明は、請求項７に記載のバケット構造体であって、前記落下物受取手段は、上部が開口する受取溝を有する受取シートと、該受取シートを支持するフレームとからなることを特徴とする。
本発明によるバケット構造体によれば、作業者が作業中に落下させた切屑等の落下物は、落下物受取手段の受取溝内に受け取られ、下方に落下するのが防止されることになる。
【発明の効果】
【００１４】
以上、説明したように、本発明のバケット用テント及びバケット構造体によれば、バケットの上部にフレームと幕体との協働によって密閉された作業空間を形成することができるので、雨天時の作業であっても、作業性を向上させることができるとともに、作業効率を向上させることができる。また、幕体を構成する垂幕は複数に分離、接合可能に構成され、さらに、屋根幕も幕体に対して分離、接合可能に構成されているので、作業の種類に応じて垂幕の一部を開放させるような使い方もできるので、汎用性を大幅に高めることができる。さらに、作業者が誤って切屑等を落下させても、その落下物は落下物受取手段によって受け取られることになるので、落下物がバケットの下方に落下するようなことはなく、安全性を大幅に高めることができる。さらに、フレームの支柱は伸縮自在に構成され、屋根枠は折り畳み自在に構成されているので、不使用時にコンパクトに収納することができ、嵩張りをなくすることができる。
【発明を実施するための最良の形態】
【００１５】
以下、図面に示す本発明の実施の形態について説明する。
図１〜図１２には、本発明によるバケット用テント及びバケット構造体の一実施の形態が示されていて、このバケット用テント及びバケット構造体は、高所作業車に昇降、旋回自在に設置されるアームの先端部に設置され、アームと一体に昇降、旋回可能なものであって、電柱間への光ケーブル、メタルケーブル等の架空線の架設、補修等の高所作業に使用されるものである。
【００１６】
すなわち、バケット構造体は、図１に示すように、高所作業車のアーム（図示せず）の先端部に一体に取り付けられるバケット２と、バケット２の上部に着脱自在に取り付けられるバケット用テント７と、バケット２に着脱自在に取り付けられる落下物受取手段４１とを備えている。
【００１７】
バケット２は、図１に示すように、４枚の側板３、３、３、３を連結して角筒状に形成するとともに、この角筒状に形成したものの下端開口部を底板４で閉塞して上端が開口する角箱状に形成したものであって、上端開口部には外方に張り出る環状のフランジ５が一体に設けられ、このフランジ５に後述するフレーム８及び落下物受取手段４１が着脱自在に取り付けられている。
【００１８】
バケット用テント７は、図１に示すように、バケット２の開口縁部に着脱自在に立設されるフレーム８と、フレーム８によって支持されるとともに、バケット２の上部にバケット２の内側に連通する密閉された作業空間３０を形成する幕体３３とから構成されている。
【００１９】
フレーム８は、図１、図２及び図５に示すように、バケット２の開口縁部のうち、対角線上に位置する両角部にそれぞれ固定金具９、９を介して垂直に取り付けられる２本の支柱１３、１３と、両支柱１３、１３の上端部間に水平に取り付けられる角環状の屋根枠１８とから構成されている。
【００２０】
固定金具９は、図１、図２及び図５に示すように、バケット２のフランジ５の上部に設けられる上板１０と、フランジ５の下部に設けられる下板１１と、上板１０と下板１１とをフランジ５を介在させた状態で締結する締結ねじ１２とから構成され、上板１０のバケット２内に突出している部分に支柱１３が垂直に立設されている。
【００２１】
支柱１３は、図１及び図５に示すように、下端部が固定金具９の上板１０のバケット２内に突出している部分に固着される外パイプ１４と、外パイプ１４内にスライド自在に装着される内パイプ１５と、内パイプ１５と外パイプ１４とを連結する連結ねじ１７とから構成されている。
【００２２】
内パイプ１５には、軸線方向に所定の間隔ごとに複数のねじ孔１６、……が設けられるとともに、外パイプ１４の上端部には連結ねじ１７が貫通した状態で装着され、この連結ねじ１７を内パイプ１５の所望のねじ孔１６に螺合させて締め付けることにより、支柱１３がそのねじ孔１６に応じた長さに固定される。
【００２３】
屋根枠１８は、図３、図６及び図７に示すように、対向して設けられる一対の縦梁１９、１９と、両縦梁１９、１９の両端部間に連結金具２０、２０を介して一体に連結される折り畳み自在な一対の横梁２１、２１と、対角線上に位置する連結金具２０、２０間に一体に連結される伸縮自在な筋交２５とから構成されている。
【００２４】
各横梁２１は、ヒンジ２２を介して屈曲自在に連結される一対の内パイプ２３、２３と、内パイプ２３、２３の外側に被嵌されて内パイプ２３、２３上をスライド可能な外パイプ２４とから構成され、両内パイプ２３、２３の軸線を一致させた状態で外パイプ２４をスライドさせてヒンジ２２上に位置させることにより、両内パイプ２３、２３が軸線が一致した状態に固定され、外パイプ２４をスライドさせてヒンジ２２上から離間させることにより、両内パイプ２３、２３がヒンジ２２を中心として屈曲可能となる。
【００２５】
筋交２５は、一端部が一方の連結金具２０に一体に連結される外パイプ２６と、外パイプ２６内にスライド自在に装着される内パイプ２７と、外パイプ２６と内パイプ２７とを一体に連結する連結ねじ２８とから構成され、連結ねじ２８を緩めることにより、外パイプ２６に対して内パイプ２７を伸縮させることができる。
【００２６】
屋根枠１８は、使用時には図３に示すように各環状に形成され、不使用時には図３の状態から図６の状態を介して図７のように折り畳まれる。
【００２７】
図４に示すように、屋根枠１８の筋交２５の両端部に位置している連結金具２０には、それぞれ下方に突出する丸棒状の支持軸３１が一体に設けられ、この支持軸３１を各支柱１３の上端部に嵌合させて、固定ねじ３２により締め付けることにより、図１に示すように、両支柱１３、１３の上部に屋根枠１８が固定される。
【００２８】
幕体３３は、図１に示すように、フレーム８の外側に装着されるものであって、屋根枠１８の上部に屋根枠１８の開口部を閉塞するように設けられるシート状の屋根幕３４と、屋根幕３４の周縁部に下方に垂れ下がるように一体に設けられるとともに、下端部がバケット２の上端部外周側に被せられるシート状の垂幕３５とから構成されている。
【００２９】
垂幕３５は、上端が屋根幕３４に一体に連結された状態で、周方向に複数に分離、接合可能に構成されている。この実施の形態においては、バケット２の各側板３に対応する部分にそれぞれ長方形状の小垂幕３６が形成されるように、４つに分離、接合可能に構成されている。
【００３０】
隣接する小垂幕３６、３６間には、それぞれファスナー等の分離・接合手段３７が設けられ、この分離・接合手段３７により、隣接する小垂幕３６、３６間が分離、接合可能に構成されている。
【００３１】
４つの小垂幕３６のうち、対向する２枚の小垂幕３６、３６は、それぞれ小垂幕３６を一方の対角線に沿って２つの小垂幕片３８、３８に分離、接合可能に構成されている。この場合、両小垂幕片３８、３８間には、ファスナー等の分離・接合手段３９が設けられ、この分離・接合手段３９により、両小垂幕片３８、３８間が分離、接合可能に構成されている。
【００３２】
なお、図８に示すように、屋根幕３４と垂幕３５との間をファスナー等の分離・接合手段（図示せず）を介して分離、接合可能に構成するとともに、屋根幕３４を蛇腹状に形成して屋根枠１８上をスライド自在に構成し、屋根幕３４のスライド量に応じてバケット用テント７の上部を開放させても良い。
【００３３】
落下物受取手段４１は、バケット２の３つの側板３、３、３の外周側に設けられるものであって、落下物を受け取る受取溝４３を有する受取シート４２と、受取シート４２を支持するフレーム４４とから構成されている。
【００３４】
受取シート４２は、上端部が固定金具４５によりバケット２のフランジ５に固定される、３つの側板３、３、３の外周面のほぼ全体を被覆する内側シート４６と、各側板３を被覆する内側シート４６の下端に下端が一体に連結される四角形状の外側シート４７と、隣接する外側シート４７、４７間を連結する扇形状の連結シート４８とから構成され、内側シート４６と外側シート４７及び連結シート４８との間にＶ形状の受取溝４３が形成される。
【００３５】
各外側シート４７の内面側には、上辺及び両側辺に沿うようにコ形状のフレーム４４が固定バンド５０によって取り付けられ、このフレーム４４によって各外側シート４７が四角形状に保持される。
【００３６】
各外側シート４７の上端部と内側シート４６の上端部との間は、長さ調整が可能な連結バンド５１によって連結され、この連結バンド５１の長さを調整することにより、外側シート４７と内側シート４６との間に形成される受取溝４３の開口幅を調整することができる。
【００３７】
受取シート４２は、使用時には外側シート４７を開いて、内側シート４６と外側シート４７の間にＶ形状の受取溝４３を形成し、不使用時には、外側シート４７を閉じて内側シート４６に密着させるように構成されている。
【００３８】
そして、上記のように構成したバケット構造体１を用いて架空線の架設、補修等の高所作業を行うには、高所作業車のアームを昇降、旋回させて、アームと一体にバケット構造体１を昇降、旋回させ、バケット構造体１を架空線に近接する所定の位置に位置決めする。
【００３９】
そして、幕体の垂幕の所望の分離・接合手段を操作し、垂幕を複数の小垂幕に分離させ、隣接する小垂幕間に架空線を挿通させ、分離・接合手段を操作して隣接する小垂幕を接合し、バケットの上部に密閉された作業空間を形成する。
【００４０】
そして、この密閉された作業空間内において、各種の精密機器を使用して補修等の作業を行うことにより、風雨に晒されることになく、架空線の補修等の作業を行うことができるものである。なお、補修作業等において生じる切屑等は、バケットの外側の受取溝内に収容されるので、バケットから落下するのを防止することができるものである。
【００４１】
上記のように構成したこの実施の形態によるバケット用テント及びバケット構造体にあっては、バケットの上部にフレームと幕体との協働によって密閉された作業空間を形成することができるので、雨天時に作業者がレインウエアを装着したり、ビニールシートを被ったりする必要がないので、雨天時の作業性を大幅に高めることができる。
【００４２】
また、各種の精密機器を密閉された作業空間内で使用することができるので、各種の精密機器が雨に濡れないように注意する必要がなくなり、本来の作業以外の部分に注意を払う必要がなくなり、作業効率を大幅に高めることができる。
【００４３】
さらに、作業の種類に応じて、幕体の垂幕又は屋根幕を分離させて一部を開放させるような使い方もできるので、汎用性を大幅に高めることもできる。
【図面の簡単な説明】
【００４４】
【図１】本発明によるバケット用テント及びバケット構造体の全体を示した斜視図である。
【図２】図１のバケットの平面図である。
【図３】図１の屋根枠の平面図である。
【図４】屋根枠と支柱との連結部の拡大図である。
【図５】バケットに固定金具を介して支柱を立設した状態を示した斜視図である。
【図６】屋根枠を折り畳む途中の状態を示した説明図である。
【図７】屋根枠を完全に折り畳んだ状態を示した説明図である。
【図８】屋根幕の変形例を示した斜視図である。
【図９】バケットと落下物受取手段との位置関係を示した斜視図であって、使用状態を示した説明図である。
【図１０】バケットと落下物受取手段との位置関係を示した斜視図であって、不使用状態を示した説明図である。
【図１１】バケットと落下物受取手段との位置関係を示した概略平面図である。
【図１２】落下物受取手段の固定金具を示した説明図である。
【符号の説明】
【００４５】
１  バケット構造体
２  バケット
３  側板
４  底板
５  フランジ
７  バケット用テント
８  フレーム
９、４５  固定金具
１２、１７、２８  連結ねじ
１３  支柱
１４、２４、２６  外パイプ
１５、２３、２７  内パイプ
１６  ねじ孔
１８  屋根枠
１９  縦梁
２０  連結金具
２１  横梁
２２  ヒンジ
２５  筋交
３０  作業空間
３１  支持軸
３２  固定ねじ
３３  幕体
３４  屋根幕
３５  垂幕
３６  小垂幕
３７、３９  分離・接合手段
３８  小垂幕片
４１  落下物受取手段
４２  受取シート
４３  受取溝
４４  フレーム
４６  内側シート
４７  外側シート
４８  連結シート
５０  固定バンド
５１  連結バンド
【図１】
2005343663.tif 000003
【図２】
2005343663.tif 000004
【図３】
2005343663.tif 000005
【図４】
2005343663.tif 000006
【図５】
2005343663.tif 000007
【図６】
2005343663.tif 000008
【図７】
2005343663.tif 000009
【図８】
2005343663.tif 000010
【図９】
2005343663.tif 000011
【図１０】
2005343663.tif 000012
【図１１】
2005343663.tif 000013
【図１２】
2005343663.tif 000014